(57)【要約】  純水器と浄水処理系濾過器が数個と、貯水タンク等が夫々独立しているために不要な空間が多く出来上り、設置場所に不便をきたし、家庭用では台所のシンクに収納しきれずに、浄水器々及び純水器はシンク内に置き、圧力貯水タンクはシンク以外の他の場所までホース等水管で連通して使用しているのが現状である。よって、浄水処理系処理器々、逆浸透膜純水器、貯水タンクを一体化して不必要な空間をなくすことが出来る。【特許請求の範囲】
【請求項１】
水供給管より導入した水（以下、原水と称す）を浄水処理し、次いで純水処理する円形又は箱型の水処理機器であって、純水を入出させる純水入出口を有した貯水タンク本体の底部に、原水を取入れる浄水器ＩＮ側入水口を有した浄水器用筒状器を、および前記浄水器用筒状器内に純水出水口と膜洗浄水出水口を有した純水器用筒状器を有し、前記浄水器用筒状器内に浄水処理カートリッジを装填し、その筒状器頂部に浄水器ＯＵＴ側出水口を有し、純水器キャップ用の空間を有した浄水器用キャップをシール材をはさんで蓋付けして浄水器と成し、前記純水器用筒状器内に逆浸透膜カートリッジを装填し、その筒状器頂部に浄水を受入れる浄水受入口を有した純水器用キャップをシール材をはさんで蓋付けして純水器と成し、前記本体の前記浄水器部と純水器部以外の部分には、本体キャップをシール材をはさんでビス付け密封固着して貯水タンクと成し、原水をホース等水管（以下、水管と称す）にて浄水器ＩＮ側入水口より取入れ、浄水処理して浄水器ＯＵＴ側出水口より出水し、水管にて純水器の浄水を受入れる浄水取入口に送給して純水器内にて純水処理し、純水処理した純水を純水出水口より出水し、水管を経て貯水タンクの純水入出口へ送水し、原水の圧力により圧力貯水タンク内に貯水し、圧力貯水タンク上部のエアーが保圧し、純水吐水栓の開口時には、前記保圧により圧力貯水タンク内の純水は自動出水し、純水製造時に逆浸透膜表面を洗浄した膜洗浄水は、膜洗浄水出水口より水管を経て排出する前記浄水器、純水器および貯水タンクを一体化したことを特徴とする水処理機器。
【請求項２】
浄水出水口、膜洗浄水出水口、圧力貯水タンクの純水出水口、浄水器ＩＮ口と連通する水管路を、圧力貯水タンクの底部および壁部に設け、前記水管路の出入水口である水管路口を、圧力タンクの本体キャップに設けて、前記各口を水管路を通じて水管に連通する請求項１記載の水処理機器。
【発明の詳細な説明】
【技術分野】
【０００１】
本発明は、逆浸透膜純水処理装置に関するものである。
【背景技術】
【０００２】
家庭などで用いられる逆浸透膜純水器（以下、純水器と称す）は、プレフィルター濾過器、活性炭濾過器、マイクロフィルター濾過器と３つの器を通して浄水処理し、その後純水器を経て純水を製造して別途用意された貯水タンクに純水を貯水している。
この３つの浄水工程濾過器、および純水器、貯水タンクがそれぞれ分離している為に設置には大きな場を必要とされる欠点があり、シンクの下に全てを収納することは不可能であった。
【発明の開示】
【発明が解決しようとする課題】
【０００３】
浄水処理に必要な、プレフィルター、マイクロフィルターおよび活性炭フィルターがフィルター交換のためにそれぞれ独立していること。
貯水タンクがシンクに納められない故に台所のスミ等に独立して設置され、又それらを水管で接続していること。
【課題を解決するための手段】
【０００４】
浄水系処理器、貯水タンク、ＲＯ膜を用いて純水を得る純水器等を一体化して、従来あった不必要な空間を排除する。
【発明の効果】
【０００５】
本発明の水処理機器は、従来３個有った浄水系処理器と、１個の貯水タンク、１個の純水器の全てをまとめて一体化して設置場の縮少と同時にコストの減少をなす。
【図面の簡単な説明】
【０００６】
【図１】本発明の水処理機器の外観図。
【図２】本発明の水処理機器の外観図。
【図３】本発明の水処理機器の正面図。
【図４】本発明の水処理機器の裏面図。
【図５】本発明の水処理機器の平面図。
【図６】本発明の水処理機器の底面図。
【図７】本発明の水処理機器の右側面図。
【図８】本発明の水処理機器の左側面図。
【図９】図３におけるＡ−Ａ線に沿う断面図。
【図１０】図５におけるＢ−Ｂ線に沿う断面図。
【図１１】従来の一般的純水装置の概略を表わす説明用図。
【図１２】従来の一般的純水装置の概略を表わす説明用図。
【図１３】第２実施例の水処理機器の外観図。
【図１４】第２実施例の水処理機器の外観図。
【図１５】第２実施例の水処理機器の正面図。
【図１６】第２実施例の水処理機器の裏面図。
【図１７】第２実施例の水処理機器の平面図。
【図１８】第２実施例の水処理機器の底面図。
【図１９】第２実施例の水処理機器の右側面図。
【図２０】第２実施例の水処理機器の左側面図。
【図２１】図１５におけるＣ−Ｃ線に沿う断面図。
【図２２】図１７におけるＤ−Ｄ線に沿う断面図。
【図２３】図１７におけるＥ−Ｅ線に沿う断面図。
【図２４】図２２と図２３を重ねて説明用に合成した説明用図。
【符号の説明】
【０００７】
１  本発明の水処理機器
２  水供給管
３  分岐栓
４  純水吐水栓
５  浄水吐水栓
６  水取入口
７  水管（ホース等水管）
８  純水出水口
９  浄水出水口
１０  浄水器
１１  カートリッジ
１２  圧力貯水タンク（タンク・貯水タンク）
１３  浄水器ＩＮ口
１４  浄水器ＯＵＴ口
１５  純水器
１６  純水器の浄水取入口
１７  純水器出水口
１８  膜洗浄水出水口
１９  排水出水口
２０  雑用水吐水パイプ
２１  出水ツマミ
２２  圧力貯水タンク出入口
２３  純水器逆浸透膜カートリッジ
２４  膜中心純水管
２５  プレフィルター
２６  活性炭層
２７  マイクロフィルター
２８  カートリッジベース
２９  カートリッジキャップ
３０  本体キャップ
３１  シール用ラバー
３２  シール用０リング
３３  本体
３４  純水器用筒
３５  浄水連通部
３６  エアー部
３７  シール用ラバー
３８  固定ビス
３９  浄水器内原水部
４０  純水器キャップ
４１  貯水タンク上部
４２  シール部品
４３  フィルター固着材
４４  浄水器用筒
４５  純水器内部
４６  分岐管
４７  本体壁の止水栓
４８  浄水器ＯＵＴ側出水部
４９  浄水取入部
５０  浄水器用キャップ（中央を純水器用キャップ用に空洞とした）
５１  浄水器用キャップ
５２  水管路
５３  圧力検知センサー
５４  電脳
５５  電磁弁
５６  磁石を内蔵した浮子
５７  リードスイッチＡ
５８  浮子の磁石
５９  リードスイッチＢ
６０  浄水器ＯＵＴ側
６１  純水器の浄水取入側
６２  電池
６３  電線
６４  水管路口
【発明を実施するための最良の形態】
【０００８】
水供給管より導入した水（以下、原水と称す）を浄水処理し、次いで純水処理する円形又は箱型の水処理機器であって、純水を入出させる純水入出口を有した貯水タンク本体の底部に、原水を取入れる浄水器ＩＮ側入水口を有した浄水器用筒状器を、および前記浄水器用筒状器内に純水出水口と膜洗浄水出水口を有した純水器用筒状器を有し、前記浄水器用筒状器内に浄水処理カートリッジを装填し、その筒状器頂部に浄水器ＯＵＴ側出水口を有し、純水器キャップ用の空間を有した浄水器用キャップをシール材をはさんで蓋付けして浄水器と成し、前記純水器用筒状器内に逆浸透膜カートリッジを装填し、その筒状器頂部に浄水を受入れる浄水受入口を有した純水器用キャップをシール材をはさんで蓋付けして純水器と成し、前記本体の前記浄水器部と純水器部以外の部分には、本体キャップをシール材をはさんでビス付け密封固着して貯水タンクと成し、原水をホース等水管（以下、水管と称す）にて浄水器ＩＮ側入水口より取入れ、浄水処理して浄水器ＯＵＴ側出水口より出水し、水管にて純水器の浄水を受入れる浄水取入口に送給して純水器内にて純水処理し、純水処理した純水を純水出水口より出水し、水管を経て貯水タンクの純水入出口へ送水し、原水の圧力により圧力貯水タンク内に貯水し、圧力貯水タンク上部のエアーが保圧し、純水吐水栓の開口時には、前記保圧により圧力貯水タンク内の純水は自動出水し、純水製造時に逆浸透膜表面を洗浄した膜洗浄水は、膜洗浄水出水口より水管を経て排出する前記浄水器、純水器および貯水タンクを一体化したことを特徴とする水処理機器を実現する。
【実施例１】
【０００９】
以下、本発明の浄水器１０、純水器１５、圧力貯水タンク１２を一体化した第１実施例を図１及至図１０を参照して説明する。
図１及び図２は本発明水処理機器１の外観図であり、図３は正面図、図４は裏面図、図５は平面図、図６は底面図、図７は右側面図、図８は左側面図、図９は図３におけるＡ−Ａ線に沿う断面図、図１０は図５におけるＢ−Ｂ線に沿う断面図である。
以下、水管７を連通し、水の流れを矢印にて示した図１０を参照して、純水製造時での水の流れを説明する。
図１０における符号４１は圧力貯水タンク１２（以下、タンクと称す）の上部に有り、原水圧力により製造された純水の圧力入水により出来上る貯圧エアー部であり、純水吐水栓４を開口すれば前述の保圧により純水は自動的に出水する。
固定ビス３８は、タンク１２と本体キャップ３０を固定するビスである。
水供給管２より分岐水栓３を用いて導入した水は、水管７を経て浄水器ＩＮ口１３より浄水器内原水部３９に流入し、カートリッジベース２８とカートリッジキャップ２９との間に構成された横流式濾過法カートリッジのプレフィルター２５により水中の雑固形物が濾過され、次いで活性炭層２６にて有機物は吸着濾過され、次いでマイクロフィルター２７にてマイクロ以上の固形物が最終濾過されて、浄水連通部３５へ流入し、浄水器ＯＵＴ口１４より出水する。
水管７を通水して純水器の浄水取入口１６より入水した浄水は、純水器逆浸透膜カートリッジ２３において一部純水濾過されて、膜中心純水管２４に集水して、純水器出水口１７より純水となって出水し、一部膜表面を洗浄して膜洗浄水出水口１８より出水する膜洗浄水は水管７を通水して雑用水吐水パイプ２０より吐水する。
純水器出水口１７より出水した純水は、水管７を経て符号１２のタンクに分岐管４６を経て貯水されるか、又は分岐管４６のもとに水管７を通水し連通した純水吐水栓４より吐水する。
図１０に示す符号４１は上部エアー部で圧力により縮少して圧力を貯圧する。
ＲＯ製造時において純水をタンク１２に貯水するが、タンク１２の水位とともに浮く磁石を内蔵した浮子５６が有り、一定の量までタンク１２内の水位があがると、浮子の磁石５８により、リードスイッチＡ５７が感応して電脳５４に通告し、電脳５４は電磁弁５５に指令して電磁弁５５を閉口させ、逆に純水を使用してタンク１２内の水位が所定位置まで使用した時には、水位とともに下がった浮子の磁石５８に感応したリードスイッチＢ５９は電脳５４に通告し、電脳５４は電磁弁５５を開口して純水製造は再開される。
図１０に示す符号３６は浄水器上部のエアー部であり、浄水器にかかる衝撃緩和作用をなす為に設けられている。
図１１及び図１２は背景技術としての現況市場の純水機器であり、符号２５はプレフィルター内臓器、２６は活性炭内臓器、２７はマイクロフィルター内臓器の浄水系器であり、１５は純水器、１２は圧力貯水タンクと五つの器が分離して構成されている為に、広い設置空間が要求されていることを示す図であり、又純水器より出水する廃棄水を水管７の先端より放水廃棄していることを示す。
【実施例２】
【００１０】
以下図１３及至図２４を参照して、浄水器ＩＮ口１３、純水出水口１７、逆浸透膜洗浄水出水口１８を、圧力貯水タンク１２の壁部又は底部に設けたそれぞれ個別の水管路５２と、それぞれ連通させた水処理機器である実施例の２を説明する。
図１２及び図１３は実施例２における水処理機器１の外観図、図１５は正面図、図１６は裏面図、図１７は平面図、図１８は底面図、図１９は右側面図、図２０は左側面図、図２１は図１５におけるＣ−Ｃ線上に沿う断面図、図２２は図１７におけるＤ−Ｄ線上に沿う断面図、図２３は図１７におけるＥ−Ｅ線に沿う断面図、図２４は図２２と図２３を重ね合わせて合成した説明用図である。
図２４に純水製造時での水の流れを矢印で示すが、これは実施例１と同様の流れであり、水供給管２−分岐栓３−電磁弁５５−水管７−本体キャップ３０に設けた水管路口６４−水管路５２−浄水器ＩＮ口１３−浄水器ＯＵＴ口１４−純水器の浄水取入口１６−膜中心純水管２４に集って出水する純水は、純水出水口１７−水管路５２−圧力貯水タンク出入口より貯水タンク１２内へ貯水するか、あるいは水管路５２−水管路口６４−水管７−純水吐水栓４と流通し、逆浸透膜洗浄水は、膜洗浄水出水口１８−水管路５２−水管路口６４−水管７−雑用水吐水パイプ２０と流れる。
【産業上の利用可能性】
【００１１】
設置場の縮少、材料の削減、コスト安を実現した当発明の水処理機器の、健康、環境への人々の意識の高揚を因とする水処理機器の現況市場への登場は消費者の要望である。
【図１】
2007007624.tif 000002
【図２】
2007007624.tif 000003
【図３】
2007007624.tif 000004
【図４】
2007007624.tif 000005
【図５】
2007007624.tif 000006
【図６】
2007007624.tif 000007
【図７】
2007007624.tif 000008
【図８】
2007007624.tif 000009
【図９】
2007007624.tif 000010
【図１０】
2007007624.tif 000011
【図１１】
2007007624.tif 000012
【図１２】
2007007624.tif 000013
【図１３】
2007007624.tif 000014
【図１４】
2007007624.tif 000015
【図１５】
2007007624.tif 000016
【図１６】
2007007624.tif 000017
【図１７】
2007007624.tif 000018
【図１８】
2007007624.tif 000019
【図１９】
2007007624.tif 000020
【図２０】
2007007624.tif 000021
【図２１】
2007007624.tif 000022
【図２２】
2007007624.tif 000023
【図２３】
2007007624.tif 000024
【図２４】
2007007624.tif 000025
【国際調査報告】
2007007624.tif 000026
2007007624.tif 000027
2007007624.tif 000028
2007007624.tif 000029